(57)【要約】【課題】  媒体の排出又は投入受付を行う際に、利用者を誘導しやすい表示を行う取引装置を提供する。【解決手段】  本発明は、取引装置に関する。そして、取引装置は、取引に係る物の投入及び又は排出が可能な１又は複数の取扱口と、取引に係る情報を表示画面に出力する表示出力部を用いて、利用者との取引を行う手段と、表示出力部の表示画面の周囲に配置されたそれぞれの取扱口に対応する画面側照明部と、取引によりいずれかの取扱口で物の投入又は排出が発生する場合に当該取扱口に対応する画面側照明部を照明させる照明制御手段とを有することを特徴とする。【選択図】      図１
2014056495.tif 000002
【特許請求の範囲】
【請求項１】
取引に係る物の投入及び又は排出が可能な１又は複数の取扱口と、
取引に係る情報を表示画面に出力する表示出力部を用いて、利用者との取引を行う取引処理手段と、
上記表示出力部の表示画面の周囲に配置された、それぞれの上記取扱口に対応する画面側照明部と、
上記取引処理手段が行う取引により、いずれかの上記取扱口で、物の投入又は排出が発生する場合に、当該取扱口に対応する画面側照明部を照明させる照明制御手段と
を有することを特徴とする取引装置。
【請求項２】
それぞれの上記画面側照明部は、上記表示画面の縁に配置されていることを特徴とする請求項１に記載の取引装置。
【請求項３】
それぞれの上記画面側照明部は、上記表示画面の縁に沿ってライン状に配置されていることを特徴とする請求項２に記載の取引装置。
【請求項４】
それぞれの上記画面側照明部の相対的な位置関係は、それぞれの上記取扱口の相対的な位置関係に基づいた位置関係となっていることを特徴とする請求項３に記載の取引装置。
【請求項５】
それぞれの上記画面側照明部は異なる色で照明することを特徴とする請求項１〜４のいずれかに記載の取引装置。
【請求項６】
それぞれの上記取扱口の近傍には、それぞれ異なる色で照明することが可能な取扱口側照明部が設けられており
それぞれの上記画面側照明部が照明する色は、当該画面側照明部に対応する取扱口の近傍の上記取扱口側照明部と一致していること
を特徴とする請求項５に記載の取引装置。
【請求項７】
上記照明制御手段は、対応する上記画面側照明部と上記取扱口側照明部の組について、同じタイミングで照明させることを特徴とする請求項６に記載の取引装置。
【請求項８】
それぞれの上記画面側照明部が、上記表示画面の一部の領域の表示画像として構成されていることを特徴とする請求項１に記載の取引装置。
【請求項９】
上記照明制御手段は、上記取引処理手段による取引の進行状況を監視し、いずれかの上記取扱口で、排出処理が行われることが確認可能なタイミングとなった後、当該取扱口で、排出処理が行われるまでの間に、当該取扱口に対応する上記画面側照明部の照明を開始させることを特徴とする請求項１に記載の取引装置。
【請求項１０】
上記取引処理手段の制御に応じて、現金を処理する現金処理部をさらに備え、
上記取扱口として、上記現金処理部から現金の排出を行うことが可能な現金取扱口を備え、
上記照明制御手段は、上記取引処理手段の制御に応じて上記現金処理部が現金の排出処理を開始したタイミングで、少なくとも上記現金取扱口に対応する画面側照明部の照明を開始させることを特徴とする請求項９に記載の取引装置。
【請求項１１】
上記照明制御手段は、上記現金処理部で、紙幣収納部から最初に現金が繰り出されるタイミング、又は、最初に現金が上記現金取扱口に到達したタイミングで、少なくとも上記現金取扱口に対応する画面側照明部の照明を開始させることを特徴とする請求項１０に記載の取引装置。
【請求項１２】
上記取引処理手段の制御に応じて、現金を処理する現金処理部をさらに備え、
上記取扱口として、上記現金処理部から現金の排出を行うことが可能な現金取扱口を備え、
上記照明制御手段は、上記取引処理手段で、出金取引に係る出金金額の入力を受付けたタイミングで、少なくとも上記現金取扱口に対応する画面側照明部の照明を開始させることを特徴とする請求項９に記載の取引装置。
【請求項１３】
上記取引処理手段の制御に応じて、紙幣を処理する紙幣処理部と
上記取引処理手段の制御に応じて、硬貨を処理する硬貨処理部とをさらに備え、
上記取扱口として、上記紙幣処理部から紙幣の排出を行うことが可能な紙幣取扱口と、上記硬貨処理部から硬貨の排出を行うことが可能な硬貨取扱口とを備え、
上記照明制御手段は、上記取引処理手段で、出金取引に係る出金金額の入力が開始された時点で、少なくとも上記紙幣取扱口、及び、上記硬貨取扱口に対応する画面側照明部の照明を開始させることを特徴とする請求項９に記載の取引装置。
【請求項１４】
上記照明制御手段は、上記取引処理手段で、出金取引に係る出金金額の入力が開始された後、入力された出金金額の内容に基づいて、少なくとも硬貨の出金の要否を判定し、硬貨の出金が行われないと判定した場合には、上記硬貨処理部に対応する画面側照明部の照明を停止させることを特徴とする請求項１３に記載の取引装置。
【請求項１５】
上記取引処理手段の制御に応じて、現金を処理する現金処理部をさらに備え、
上記取扱口として、上記現金処理部から現金の排出を行うことが可能な現金取扱口を備え、
上記照明制御手段は、上記取引処理手段で、出金取引の選択を受付けたタイミングで、少なくとも上記現金取扱口に対応する画面側照明部の照明を開始させることを特徴とする請求項９に記載の取引装置。
【請求項１６】
いずれかの上記取扱口に異物が投入された場合に当該異物を返却する異物返却部をさらに備え、
上記取扱口として、上記異物返却部からの異物を返却するための異物返却口を備え、
上記照明制御手段は、上記異物返却部により、上記異物返却口に異物が供給される際に、上記異物返却口に対応する画面側照明部の照明を開始させることを特徴とする請求項１に記載の取引装置。
【請求項１７】
上記照明制御手段は、上記異物返却口に対応する上記画面側照明部の照明を開始した後、少なくとも上記取引処理手段により現在継続中の取引が終了までの間、当該画面側照明部を照明させた状態を継続することを特徴とする請求項１６に記載の取引装置。
【請求項１８】
上記照明制御手段は、上記異物返却口に供給された異物が抜き取られた場合には、上記異物返却口に対応する画面側照明部の照明を停止することを特徴とする請求項１６に記載の取引装置。
【請求項１９】
上記照明制御手段は、上記異物返却口に対応する画面側照明部の照明を開始した後、上記取引処理手段により現在継続中の取引が終了した場合、上記異物返却口から異物が抜き取られていない場合でも、上記異物返却口に対応する画面側照明部の照明を停止することを特徴とする請求項１８に記載の取引装置。
【請求項２０】
上記照明制御手段は、上記異物返却口に対応する画面側照明部を照明させる際に、当該画面側照明部を点滅させることを特徴とする請求項１６〜１９のいずれかに記載の取引装置。
【請求項２１】
上記照明制御手段は、上記異物返却口に対応する画面側照明部の照明を開始した後、時間の経過と共に、当該画面側照明部を点滅させる間隔を短くすることを特徴とする請求項２０に記載の取引装置。
【発明の詳細な説明】
【技術分野】
【０００１】
この発明は、取引装置に関し、例えば、銀行などの金融機関やコンビニエンスストアなどに設置されるＡＴＭ（Ａｕｔｏｍａｔｅｄ  Ｔｅｌｌｅｒ  Ｍａｃｈｉｎｅ）に適用し得る。
【背景技術】
【０００２】
従来のＡＴＭでは、利用者からの媒体（例えば、キャッシュカードや現金等）投入（挿入）の受付、又は、利用者への媒体排出を行う際に、その直前又は直後に利用者への案内（例えば、操作画面、媒体入出口の照明部表示、音声案内等による案内）を行っている。
【０００３】
従来のＡＴＭでは、例えば、媒体を排出口に排出する直前に、媒体入出口からの媒体抜き取りを誘導する案内を開始（例えば、操作画面に案内情報を表示出力）する。そして、従来のＡＴＭでは、排出した媒体が媒体入出口から抜き取られた後に、上述の案内を終了する（例えば、操作画面での案内情報の出力終了する）。なお、以下では、媒体等の投入受付及び又は排出を行う部分を総称して、「取扱口」とも呼ぶものとする。
【０００４】
また、従来のＡＴＭで、媒体の排出又は投入受付を行う際に、操作画面に表示する案内の内容としては、特許文献１の記載技術がある。特許文献１に記載されたＡＴＭでは、媒体の投入受付及び排出時、個別の媒体を操作するイラスト及び文言に合わせて、装置全体の媒体入出口の配置図と操作順を明示したイラストを表示している。
【先行技術文献】
【特許文献】
【０００５】
【特許文献１】特開平５−１０１２５５号公報
【発明の概要】
【発明が解決しようとする課題】
【０００６】
しかしながら、従来のＡＴＭでは、媒体の排出又は投入受付を行う際に、実際に排出又は投入受付を行う時になるまで、何の媒体に関する排出又は投入受付を行うのか、利用者が把握できなかった。また、従来のＡＴＭでは、複数の媒体について、排出又は投入受付を行う際に、操作画面に表示する画面上の文字案内や、操作画面から離れた複数の媒体入出口のランプの点灯では、利用者が複数の媒体に関する排出又は投入受付であることに気付かない場合があった。
【０００７】
上記のような問題点に鑑みて、媒体の排出又は投入受付を行う際に、利用者を誘導しやすい表示を行う取引装置が望まれている。
【課題を解決するための手段】
【０００８】
本発明は、（１）取引に係る物の投入及び又は排出が可能な１又は複数の取扱口と、（２）取引に係る情報を表示画面に出力する表示出力部を用いて、利用者との取引を行う取引処理手段と、（３）上記表示出力部の表示画面の周囲に配置された、それぞれの上記取扱口に対応する画面側照明部と、（４）上記取引処理手段が行う取引により、いずれかの上記取扱口で、物の投入又は排出が発生する場合に、当該取扱口に対応する画面側照明部を照明させる照明制御手段とを有することを特徴とする。
【発明の効果】
【０００９】
本発明によれば、媒体の排出又は投入受付を行う際に、利用者を誘導しやすい表示を行う取引装置を提供することができる。
【図面の簡単な説明】
【００１０】
【図１】第１の実施形態に係るＡＴＭの外観斜視図である。
【図２】第１の実施形態に係るＡＴＭの機能的構成について示したブロック図である。
【図３】第１の実施形態に係るＡＴＭの操作表示部及び操作表示部の周囲に配置された照明部について拡大して示す図である。
【図４】第１の実施形態に係るＡＴＭで、出金取引が行われる場合の動作について示したフローチャートである。
【図５】第１の実施形態に係る操作表示部で、カード挿入要求画面が表示された状態について示す要部拡大図である。
【図６】第１の実施形態に係る操作表示部で、取引選択画面が表示された状態について示す要部拡大図である。
【図７】第１の実施形態に係る操作表示部で、暗証番号入力受付画面が表示された状態について示す要部拡大図である。
【図８】第１の実施形態に係る操作表示部で、金額入力受付画面が表示された状態について示す要部拡大図である。
【図９】第１の実施形態に係る操作表示部で、処理中表示画面が表示された状態（その１）について示す要部拡大図である。
【図１０】第１の実施形態に係る操作表示部で、カード・明細票受取要求画面が表示された状態（その１）について示す要部拡大図である。
【図１１】第１の実施形態に係る操作表示部で、紙幣・硬貨受取要求画面が表示された状態について示す要部拡大図である。
【図１２】第１の実施形態に係る操作表示部で、取引終了画面が表示された状態について示す要部拡大図である。
【図１３】第１の実施形態に係るＡＴＭで、預入取引が行われる場合の動作について示したフローチャートである。
【図１４】第１の実施形態に係る操作表示部で、紙幣・硬貨投入要求画面が表示された状態について示す要部拡大図である。
【図１５】第１の実施形態に係る操作表示部で、処理中表示画面が表示された状態（その２）について示す要部拡大図である。
【図１６】第１の実施形態に係る操作表示部で、投入金額確認画面が表示された状態について示す要部拡大図である。
【図１７】第１の実施形態に係る操作表示部で、カード・明細票受取要求画面が表示された状態（その２）について示す要部拡大図である。
【図１８】第２の実施形態に係るＡＴＭで、出金取引が行われる場合の動作について示したフローチャートである。
【図１９】第２の実施形態に係るＡＴＭでの操作表示部で、明細票選択画面が表示された状態について示す要部拡大図である。
【図２０】第２の実施形態に係るＡＴＭでの操作表示部で、カード受取要求画面が表示された状態について示す要部拡大図である。
【図２１】第１の実施形態の変形例に係るＡＴＭの操作表示部及び操作表示部の周囲に配置された照明部について拡大して示す図である。
【図２２】第１の実施形態の変形例に係る操作表示部で、金額入力受付画面が表示された状態について示す要部拡大図（その１）である。
【図２３】第１の実施形態の変形例に係る操作表示部で、金額入力受付画面が表示された状態について示す要部拡大図（その２）である。
【図２４】第１の実施形態の変形例に係る操作表示部で、金額入力受付画面が表示された状態について示す要部拡大図（その３）である。
【図２５】第１の実施形態の変形例に係る操作表示部で、取引選択画面が表示された状態について示す要部拡大図である。
【図２６】第２の実施形態の変形例に係る操作表示部で、処理中表示画面が表示された状態について示す要部拡大図である。
【図２７】第１の実施形態の変形例に係るＡＴＭの概略断面図である。
【発明を実施するための形態】
【００１１】
（Ａ）第１の実施形態
以下、本発明による取引装置の第１の実施形態を、図面を参照しながら詳述する。
【００１２】
（Ａ−１）第１の実施形態の構成
図１は、ＡＴＭ１の外観斜視図である。
【００１３】
図２は、ＡＴＭ１の機能的構成を示すブロック図である。
【００１４】
ＡＴＭ１は、図２に示すように制御部１０、データ記憶部２０、通信部３０、カードリーダライタ４０、操作表示部５０、明細票プリンタ６０、通帳処理部７０、紙幣処理部８０、硬貨処理部９０、及び異物返却部１００を有している。
【００１５】
制御部１０は、ＡＴＭ１内の各部の動作制御や情報処理を行う機能を担っているものであり、取引処理部１１及び照明制御部１２を有している。データ記憶部２０は、制御部１０（取引処理部１１、照明制御部１２）が情報処理を行うために必要な各種情報等を格納するデータ記憶手段であり、例えば、各種メモリ等により構成することができる。
【００１６】
取引処理手段としての取引処理部１１は、利用者との取引を行うための情報処理（利用者への情報の提示や操作受付に伴う処理を含む）や取引処理に伴ってＡＴＭ１内の各構成要素の制御等を行うものである。
【００１７】
照明制御手段としての照明制御部１２は、利用者との取引の進行状況等に応じて、ＡＴＭ１に備えられている各照明部（詳細については後述する）の照明制御を行うものである。
【００１８】
制御部１０（取引処理部１１及び照明制御部１２を含む）は、例えば、プロセッサ等を含むプログラムの実施構成（コンピュータ）に、取引処理部１１や照明制御部１２等に対応するプログラムをインストールすることにより実現することができる。上述のプログラム（取引処理部１１及び照明制御部１２に対応するプログラム）は、例えば、データ記憶部２０に記憶しておき、ＡＴＭ１が起動したときに、制御部１０がそのプログラムを読み込んで実行するようにしても良い。
【００１９】
通信部３０は、図示しないホストコンピュータと接続する等のためのネットワークインタフェースである。なお、通信部３０については、既存のＡＴＭ等と同様のものを適用することができるため、詳しい説明は省略する。
【００２０】
カードリーダライタ４０は、利用者からカード入出・明細票排出口４０１に挿入されたキャッシュカードのデータ読取等を行うものである。なお、カードリーダライタ４０は、既存のＡＴＭ等と同様のものを適用することができるため、詳しい説明は省略する。
【００２１】
この実施形態では、カード入出・明細票排出口４０１が、キャッシュカードの入出口の機能と明細票の排出口の機能を兼ねているものとして説明するが、別の取扱口として構成するようにしてもよい。
【００２２】
表示出力部としての操作表示部５０は、当該ＡＴＭ１のユーザインタフェース機能を担っている。具体的には、操作表示部５０は、タッチパネルディスプレイ等を用いて、利用者に操作画面を提示し、利用者への情報出力や、利用者からの操作受付（メニュー選択や金額入力、番号入力等）を行うことが可能なデバイスである。
【００２３】
明細票プリンタ６０は、印刷用紙に取引内容を印字して明細票を作成して、カード入出・明細票排出口４０１から排出するものである。なお、明細票プリンタ６０自体は、既存のＡＴＭ等と同様のものを適用することができるため、詳しい説明は省略する。
【００２４】
通帳処理部７０は、利用者から通帳挿入排出口７０１に挿入された通帳の処理（通帳への取引結果の印字等）を行うものである。なお、通帳処理部７０は、既存のＡＴＭ等と同様のものを適用することができるため、詳しい説明は省略する。
【００２５】
現金処理部の一部として機能する紙幣処理部８０は、利用者から投入された紙幣を収納する機能と、ＡＴＭ１に収納されている紙幣を利用者に出金する機能を担っている。この実施形態では、紙幣処理部８０は、現金取扱口としての紙幣入出金口８０１から紙幣の入出金を行うことが可能となっている。なお、紙幣処理部８０は、既存のＡＴＭ等と同様のものを適用することができるため詳しい説明を省略する。
【００２６】
現金処理部の一部として機能する硬貨処理部９０は、利用者から投入された硬貨を収納する機能と、ＡＴＭ１に収納されている硬貨を利用者に出金する機能を担っている。この実施形態では、硬貨処理部９０は、現金取扱口としての硬貨入出口９０１から紙幣の入出金を行うことが可能となっている。なお、硬貨処理部９０は、既存のＡＴＭ等と同様のものを適用することができるため詳しい説明を省略する。
【００２７】
異物返却部１００は、紙幣入出口８０１又は硬貨入出口９０１に投入された異物を、異物返却口１００１から返却する機能を担っている。異物返却部１００は、例えば、紙幣入出口８０１に硬貨が投入された場合等にも、それを異物として異物返却口１００１から返却する。なお、異物返却部１００は、既存のＡＴＭ等と同様のものを適用することができるため詳しい説明を省略する。また、異物及び媒体（例えば、キャッシュカードや紙幣や硬貨等）を総称して「物」という。
【００２８】
次に、ＡＴＭ１に備えられた各照明部、及び、照明制御部１２の処理の詳細について説明する。
【００２９】
図３は、図１に示す操作表示部５０及び、操作表示部５０の周辺について拡大して示す要部拡大図である。
【００３０】
ＡＴＭ１には、利用者を誘導するための照明部が設けられている。具体的には、図１、図３に示すように、ＡＴＭ１には、装置前面側（利用者が操作する側の面）に、緑色で照明する緑色照明部ＬＧ−１、ＬＧ−２、水色（アクアブルー）で照明する水色照明部ＬＡＢ−１、ＬＡＢ−２、青色で照明する青色照明部ＬＢ−１、ＬＢ−２、赤色で照明する赤色照明部ＬＲ−１、ＬＲ−２、黄色で照明する黄色照明部ＬＹ−１、ＬＹ−２、及び、白色（無色）で照明する白色照明部ＬＷ−１、ＬＷ−２が配置されている。なお、この実施形態の水色照明部ＬＡＢ−２は、図１に示すように、異物返却口１００１の開口部の内部に配置されているため、直接ＡＴＭ１の外側から利用者が直接視認することはできない。しかし、水色照明部ＬＡＢ−２が照明することにより、異物返却口１００１の内部でその光が反射するため、水色照明部ＬＡＢ−２が照明した光は間接的に利用者に視認させることが可能である。なお、水色照明部ＬＡＢ−２については、他の照明部と同様に、ＡＴＭ１の前面側に配置するようにしてもよい。
【００３１】
照明制御部１２では、これらの照明部について、照明する色ごとに、いずれかの取扱口、又は、取り扱う媒体（投入受付又は排出する媒体）の種類と対応づけて管理されているものとする。
【００３２】
具体的には、照明制御部１２において、緑色照明部ＬＧ−１、ＬＧ−２は硬貨入出口９０１（硬貨）と対応付けて管理されている。また、照明制御部１２において、水色照明部ＬＡＢ−１、ＬＡＢ−２は、異物返却口１００１と対応付けて管理されている。さらに、照明制御部１２において、青色照明部ＬＢ−１、ＬＢ−２は、紙幣入出口８０１（紙幣）と対応付けて管理されている。さらにまた、照明制御部１２において、赤色照明部ＬＲ−１、ＬＲ−２は、カード入出・明細票排出口４０１（キャッシュカードを取り扱う場合に限る）と対応づけて管理されている。また、照明制御部１２において、黄色照明部ＬＹ−１、ＬＹ−２は、カード入出・明細票排出口４０１（明細票を取り扱う場合に限る）と対応づけて管理されている。さらに、照明制御部１２において、白色照明部ＬＷ−１、ＬＷ−１は、通帳入出口７０１（通帳）と対応付けて管理されている。
【００３３】
なお、ＡＴＭ１において配置される照明部の数は、ＡＴＭ１に配置される取扱口の数や取り扱う媒体の種類により変更するようにしてもよい。また、各照明部の色については、対応する照明部同士について同じ色となっていれば限定されないものである。
【００３４】
図１、図３に示すように、緑色照明部ＬＧ−１、水色照明部ＬＡＢ−１、青色照明部ＬＢ−１、赤色照明部ＬＲ−１、黄色照明部ＬＹ−１、及び白色照明部ＬＷ−１は、操作表示部５０の画面の周囲（縁）に沿って、画面側照明部として配置されている。
【００３５】
また、図１に示すように、緑色照明部ＬＧ−２、水色照明部ＬＡＢ−２、青色照明部ＬＢ−２、赤色照明部ＬＲ−２、黄色照明部ＬＹ−２、及び白色照明部ＬＷ−２は、いずれかの取扱口（硬貨入出口９０１、異物返却口１００１、紙幣入出口８０１、カード入出・明細票排出口４０１、及び通帳入出口７０１）の近傍に、取扱口側照明部として配置されている。具体的には、図１に示すように、緑色照明部ＬＧ−２は硬貨入出口９０１の近傍に配置されている。また、水色照明部ＬＡＢ−２は、異物返却口１００１の近傍に配置されている。さらに、青色照明部ＬＢ−２は、紙幣入出口８０１の近傍に配置されている。さらにまた、赤色照明部ＬＲ−２及び黄色照明部ＬＹ−２は、カード入出・明細票排出口４０１の近傍に配置されている。また、白色照明部ＬＷ−２は、通帳入出口７０１の近傍に配置されている。
【００３６】
そして、ＡＴＭ１において、操作表示部５０の周囲に配置された照明部（緑色照明部ＬＧ−１、水色照明部ＬＡＢ−１、青色照明部ＬＢ−１、赤色照明部ＬＲ−１、黄色照明部ＬＹ−１、及び白色照明部ＬＷ−１）の相対的な位置関係は、各取扱口（硬貨入出口９０１、異物返却口１００１、紙幣入出口８０１、カード入出・明細票排出口４０１、及び通帳入出口７０１）の相対的な位置関係と一致しているものとする。言い換えると、ＡＴＭ１において、各取扱口の近傍に配置された照明部の相対的な位置関係は、それらの照明部に対応する操作表示部５０の周囲の照明部の位置関係と一致するように配置されている。
【００３７】
例えば、ＡＴＭ１の前面左側（図１の方向から見た場合の左側）には、上方向から通帳入出口７０１（白色照明部ＬＷ−２）、硬貨入出口９０１（緑色照明部ＬＧ−２）、異物返却口１００１（水色照明部ＬＡＢ−２）の順で配置されている。そして、操作表示部５０の周囲の左側において、上述の位置関係と一致するように、上から白色照明部ＬＷ−１、緑色照明部ＬＧ−１、水色照明部ＬＡＢ−１の順に配置されている。また、ＡＴＭ１の前面右側（図１の方向から見た場合の右側）には、上からカード入出・明細票排出口４０１（黄色照明部ＬＹ−２、赤色照明部ＬＲ−２）、紙幣入出口８０１（青色照明部ＬＢ−２）の順で配置されている。そして、操作表示部５０の周囲の左側において、上述の位置関係と一致するように、上から黄色照明部ＬＹ−１、赤色照明部ＬＲ−１、青色照明部ＬＢ−１の順に配置されている。
【００３８】
そして、照明制御部１２は、各取扱口で媒体等の取扱（投入受付又は排出）を行う際に、各取扱口又は媒体の種類に応じた照明部を照明（点灯又は点滅）させる制御を行う。そして、照明制御部１２は、各取扱口の照明部と、操作表示部５０の周囲に配置された照明部とで、対応する照明部の組については、同じタイミングで照明させる制御を行うものとする。例えば、カード入出・明細票排出口４０１にキャッシュカードが挿入された場合には、照明制御部１２は、赤色ランプＬＲ−１及び赤色ランプＬＲ−２の両方について同じタイミングで、照明させる制御（点灯、点滅）を行うものとする。
【００３９】
図１、図３に示すように、操作表示部５０の周囲に配置された各照明部は、操作表示部５０の操作画面の縁に沿ったＬ字型の形状となっているが、各照明部の相対的な位置関係がわかるように配置されていれば、これらの照明部の形状や配置構成の詳細については、限定されないものである。ただし、操作表示部５０の周囲に配置された各照明部については、相対的な位置関係が利用者に認識しやすく、さらに設置面積を節約できる構成となっていることが望ましい。その点で、図１、図３に示すように、操作表示部５０の周囲に配置される各照明部の形状をＬ字型とすることは、省スペース及び認識し易さの点から望ましい。なお、この実施形態では、操作表示部５０の操作画面は矩形（長方形）であるものとして説明するが、操作表示部５０の操作画面の形状は限定されないものである。そして、操作表示部の縁の形状に沿って、ライン状に各照明部を配置することが望ましい。
【００４０】
また、この実施形態において、ＡＴＭ１に配置される各照明部は、複数のＬＥＤ（発光ダイオード）をライン状に並べて配置することで実現しているものとして説明するが、各照明部を照明させる方式については限定されないものである。そして、それぞれの照明部に配置されたＬＥＤは、当該照明部に対応する色で照明（点灯又は点滅）することが可能となっているものとする。
【００４１】
（Ａ−２）第１の実施形態の動作
次に、以上のような構成を有する第１の実施形態のＡＴＭ１の動作を説明する。
【００４２】
（Ａ−２−１）出金取引の場合
まず、ＡＴＭ１で紙幣及び又は硬貨の出金が行われる取引の例として、出金取引が行われる場合の動作について、図４〜図１０を用いて説明する。
【００４３】
図４は、ＡＴＭ１で出金取引が行われる場合の動作について示したフローチャートである。そして、図５〜図１０は、ＡＴＭ１が、図４のフローチャートに従って動作した場合の、操作表示部５０の操作画面の内容、及び、操作表示部５０の周囲の各照明部の照明状態について示している。図５〜図１０では、照明した状態（点灯又は点滅した状態）の照明部についてはハッチ（斜線）を付して示している。
【００４４】
また、以下の動作説明では、操作表示部５０の周囲に配置された照明部の照明制御を中心に説明するが、各取扱口の近傍に配置された照明部についても同様の照明制御を行うものとする。例えば、制御部１０は、緑色照明部ＬＧ−１について点灯又は点滅させる照明制御を行う際には、対応する緑色照明部ＬＧ−２についても同様のタイミングで同様の照明制御（点灯、点滅、消灯）を行うものとする。
【００４５】
制御部１０は、初期画面として、図５に示すような、キャッシュカードの挿入を要求する画面（以下、「カード挿入要求画面」と呼ぶ）を、操作表示部５０の画面に表示させているものとする（Ｓ１０１）。なお、初期画面（カード挿入要求画面）を表示中の場合、制御部１０は、各照明部を消灯させた状態とする。そして、ここでは、操作表示部５０でカード挿入要求画面中に、利用者によりカードリーダライタ４０（カード入出・明細票排出口４０１）にキャッシュカードが挿入されたものとする（Ｓ１０２）。
【００４６】
そして、キャッシュカードが挿入されると、制御部１０は、図６に示すように、カード入出・明細票排出口４０１に対応する赤色照明部ＬＲ−１を点灯又は点滅させる照明制御を行う。そして、制御部１０は、図６に示すように、利用者に行う取引の種類を選択させる画面（以下、「取引選択画面」と呼ぶ）を操作表示部５０に表示させて、利用者に取引選択を要求する（Ｓ１０３）。
【００４７】
図６に示す取引選択画面では、当該利用者の口座（例えば、カードリーダライタ４０に挿入したキャッシュカードに対応する口座）から出金する出金取引を開始するためのボタンＢ１０１（「出金」と表示されたボタン）と、当該利用者の口座以外の他の口座への口座間振込みを受付ける振込取引を開始するためのボタンＢ１０２（「振込」と表示されたボタン）と、当該利用者の口座に入金（預金）する預入取引を開始するためのボタンＢ１０３（「預入」と表示されたボタン）と、当該利用者の口座の残高照会の受付を開始するためのボタンＢ１０４（「残高照会」と表示されたボタン）とが配置されている。そして、ここでは、取引選択画面において、利用者により出金取引を開始するためのボタンＢ１０１が押下されたものとする。
【００４８】
取引選択画面において、出金取引を開始するためのボタンＢ１０１が押下されると、制御部１０は、操作表示部５０に、暗証番号の入力を受付けるための画面（以下、「暗証番号入力受付画面」と呼ぶ）を表示させる。そして、暗証番号入力受付画面で、利用者により暗証番号（例えば、４桁の番号）が入力されたものとする。そして、暗証番号入力受付画面で、暗証番号が入力されると、制御部１０は、暗証番号のチェック（認証処理）を、図示しないホストコンピュータに依頼する（Ｓ１０４）。
【００４９】
図７は、制御部１０が操作表示部５０に暗証番号入力受付画面を表示した状態について示している。
【００５０】
図７に示すように、暗証番号入力受付画面では、暗証番号を入力するためのソフトキーパッドＫ２０１と、取引を中止するための取消ボタンＢ２０１（「取消」と表示されたボタン）と、入力された暗証番号の桁数を表示するためのフィールドＦ２０１とが配置されている。ソフトキーパッドＫ２０１は、「０〜９」、「確定」の入力キー（ボタン）により構成されている。また、図７に示すように、暗証番号入力受付画面では、既に入力された暗証番号を訂正（例えば、既に入力された番号の一部又は全部の消去）するための訂正ボタンＢ２０２が配置されている。
【００５１】
制御部１０は、キャッシュカードのデータ記録媒体（磁気ストライプやＩＣチップ等）から取得した当該利用者の口座の口座番号と、当該利用者から入力された暗証番号とを、ホストコンピュータに送信して、ホストコンピュータ側で保持している暗証番号との照合を依頼する。ここでは、ホストコンピュータにより、暗証番号チェックはＯＫ（認証成功）であったものとする。
【００５２】
暗証番号のチェックがＯＫ（認証成功）の場合、制御部１０は、操作表示部５０に、出金する金額の入力を受付けるための画面（以下、「金額入力受付画面」と呼ぶ）を表示させる（Ｓ１０５）。そして、金額入力受付画面において、利用者により出金する金額が入力されたものとする
図８は、制御部１０が操作表示部５０に金額入力受付画面を表示した状態について示している。
【００５３】
図８に示すように、金額入力受付画面では、金額を入力するためのソフトキーパッドＫ３０１と、取引を中止するための取消ボタンＢ３０１と、入力された金額を表示するためのフィールドＦ３０１とが配置されている。ソフトキーパッドＫ３０１は、「０〜９」、「確定」、「千」、「万」の入力キー（ボタン）により構成されている。また、図８に示すように、金額入力受付画面では、既に入力された金額を訂正（例えば、既に入力された数字の一部又は全部の消去）するための訂正ボタンＢ３０２が配置されている。そして、ここでは、金額入力受付画面で、「１０５００円」という金額が入力されたものとする。
【００５４】
そして、金額入力受付画面で、金額が入力されソフトキーパッドＫ３０１の確定キーが押下されると、制御部１０は、取引処理中であることを表示する画面（以下、「処理中表示画面」と呼ぶ）を、操作表示部５０に表示させる（Ｓ１０６）。
【００５５】
図９は、制御部１０が操作表示部５０に処理中表示画面を表示した状態について示している。
【００５６】
図９に示すように、処理中表示画面では、取引処理中であることを示すメッセージ（図９では、「処理中」というメッセージ）を表示している。また、制御部１０は、利用者からの取引内容の受付が完了し、処理中表示画面を表示する際に、図９に示すように、今回の取引処理で用いられる取扱口及び媒体に係る照明部を点灯させる処理も行う。今回ＡＴＭ１では、キャッシュカードを用いた「１０５００円」の出金取引が行われるので、紙幣（１万円紙幣）、硬貨（５００円硬貨）、キャッシュカード、及び明細票の排出が行われることになる。したがって、制御部１０は、利用者からの取引内容の受付が完了し、処理中表示画面を表示する際に、図９に示すように、硬貨入出口９０１、紙幣入出口８０１、キャッシュカード及び明細票（カード入出・明細票排出口４０１）に対応する照明部（緑色照明部ＬＧ−１、青色照明部ＬＢ−１、赤色照明部ＬＲ−１、及び黄色照明部ＬＹ−１）を点灯又は点滅させる照明制御を開始（又は継続）する。なお、赤色照明部ＬＲ−１については、上述のステップＳ１０３の時点から点灯又は点滅させる照明制御が継続している。
【００５７】
そして、金額入力受付画面で、金額が入力されソフトキーパッドＫ３０１の確定キーが押下されると、制御部１０は、出金取引を行うために、図示しないホストコンピュータと通信して、出金取引のトランザクション処理を依頼する処理を行う（Ｓ１０７）。なお、ここでは、制御部１０が依頼したトランザクション処理は成功（取引成功）だったものとする。
【００５８】
そして、出金取引が成立すると、制御部１０は、カードリーダライタ４０を制御してカード入出・明細票排出口４０１からキャッシュカードを排出させる制御処理を行う。また、制御部１０は、明細票プリンタ６０を制御して明細票用紙に今回の取引の内容を印字させて明細票を作成させ、その明細票をカード入出・明細票排出口４０１から排出させる（Ｓ１０８）。
【００５９】
そして、制御部１０は、排出するキャッシュカードと明細票の受取を利用者に要求するための画面（以下、「カード・明細票受取要求画面」と呼ぶ）を、操作表示部５０に表示させる制御を行う（Ｓ１０９）。
【００６０】
図１１は、制御部１０が操作表示部５０にカード・明細票受取要求画面を表示させた状態について示している。
【００６１】
図１１に示すように、カード・明細票受取要求画面では、キャッシュカードと明細票の受取を利用者に要求するメッセージ（図１１では、「カードと明細票をお受け取りください」というメッセージ）を表示している。なお、カード入出・明細票排出口４０１から、キャッシュカード及び明細票が利用者により抜き取られると、制御部１０は、キャッシュカード及び明細票（カード入出・明細票排出口４０１）に対応する照明部（赤色照明部ＬＲ−１及び黄色照明部ＬＹ−１）を消灯させる照明制御を行う。
【００６２】
そして、カード入出・明細票排出口４０１から、キャッシュカード及び明細票が利用者により抜き取られると、制御部１０は、紙幣処理部８０を制御して紙幣入出口８０１から出金する紙幣（ここでは、１枚の１万円札）を排出させる制御処理を行う。また、制御部１０は、硬貨処理部９０を制御して硬貨入出口９０１から、出金する硬貨（ここでは、１枚の５００円硬貨）を排出させる（Ｓ１１０）。
【００６３】
そして、制御部１０は、排出した紙幣と硬貨の受取を利用者に要求するための画面（以下、「紙幣・硬貨受取要求画面」と呼ぶ）を、操作表示部５０に表示させる制御を行う（Ｓ１１０）。
【００６４】
図１１は、制御部１０が操作表示部５０に紙幣・硬貨受取要求画面を表示させた状態について示している。
【００６５】
図１１に示すように、紙幣・硬貨受取要求画面では、紙幣及び硬貨の受取を利用者に要求するメッセージ（図１１では、「紙幣と硬貨をお受け取りください」というメッセージ）を表示している。なお、紙幣入出口８０１及び硬貨入出口９０１から、紙幣及び硬貨が利用者により抜き取られると、制御部１０は、紙幣入出口８０１及び硬貨入出口９０１（紙幣及び硬貨）に対応する照明部（緑色照明部ＬＧ−１及び青色照明部ＬＢ−１）を消灯させる照明制御を行う。
【００６６】
そして、紙幣入出口８０１及び硬貨入出口９０１から、紙幣及び硬貨が利用者により抜き取られると、制御部１０は、利用者に取引終了を知らせるための画面（以下、「取引終了画面」と呼ぶ）を、操作表示部５０に表示させる制御を行う（Ｓ１１２）。なお、紙幣入出口８０１及び硬貨入出口９０１で、紙幣及び硬貨の抜き取りを検知する方式については限定されないものであるが、例えば、図示しない抜き取りセンサ（例えば、光学的に検知するセンサ）により検知するようにしてもよい。
【００６７】
図１２は、制御部１０が操作表示部５０に取引終了画面を表示させた状態について示している。
【００６８】
図１２に示すように、取引終了画面では、利用者に取引終了を知らせるメッセージ（図１２では、「ありがとうございました」というメッセージ）を表示している。
【００６９】
（Ａ−２−２）預入取引の場合
次に、ＡＴＭ１で、紙幣及び又は硬貨の投入を伴う取引の例として、預入取引（入金取引）が行われる場合の動作について、図１３〜図１６を用いて説明する。
【００７０】
図１３は、ＡＴＭ１で預入取引が行われる場合の動作について示したフローチャートである。そして、図１４〜図１６は、ＡＴＭ１が、図１３のフローチャートに従って動作した場合の、操作表示部５０の操作画面の内容、及び、操作表示部５０の周囲の各照明部の照明状態について示している。図１４〜図１６では、照明した状態（点灯又は点滅した状態）の照明部についてはハッチ（斜線）を付して示している。なお、以下の説明では、上述の図４のフローチャートの説明と共通する部分については省略して説明する。
【００７１】
まず、ＡＴＭ１において、上述の図５に示す初期画面（カード挿入要求画面）の状態（Ｓ２０１）で、利用者によりカードリーダライタ４０（カード入出・明細票排出口４０１）にキャッシュカードが挿入され（Ｓ２０２）、上述の図６に示す取引選択画面が表示されたものとする。そして、ここでは、取引選択画面において、利用者により預入取引を開始するためのボタンＢ１０３が押下されたものとする（Ｓ２０３）。なお、ステップＳ２０３の時点で、上述の図６と同様に、赤色照明部ＬＲ−１だけが点灯又は点滅した状態に照明制御されているものとする。
【００７２】
そして、利用者により預入取引が選択され、上述の図７に示す暗証番号入力受付画面で、暗証番号が入力されたものとする。そして、制御部１０は、図示しないホストコンピュータと通信して暗証番号のチェック（認証処理）を行い、成功したものとする（Ｓ２０４）。
【００７３】
そして、暗証番号のチェックが終了すると、制御部１０は、利用者に預入する現金（紙幣、硬貨）の投入を要求する画面（以下、「紙幣・硬貨投入要求画面」と呼ぶ）を、操作表示部５０に表示させる。また、この際、制御部１０は、紙幣処理部８０及び硬貨処理部９０を制御して、利用者から紙幣及び又は硬貨の投入を受付けることが可能な状態に制御する（例えば、紙幣入出口８０１及び硬貨入出口９０１のシャッターをオープンさせる）（Ｓ２０５）。
【００７４】
図１４は、制御部１０が操作表示部５０に紙幣・硬貨投入要求画面を表示させた状態について示している。
【００７５】
図１４に示すように、紙幣・硬貨投入要求画面では、紙幣、硬貨の投入を利用者に要求するメッセージ（図１４では、「紙幣、硬貨を投入して、確認ボタンを押してください」というメッセージ）と、利用者から紙幣及び硬貨の投入完了確認を受付けるための確認ボタンＢ４０１（「確認」と表示されたボタン）と、利用者から取引中止を受付けるための取消ボタンＢ４０２とが配置されている。そして、ここでは、利用者により、１枚の１万円紙幣と、１枚の５００円硬貨が投入されたものとして説明する。
【００７６】
そして、紙幣・硬貨投入要求画面を表示中に、現金（紙幣、硬貨）が投入され、確定ボタンＢ４０１が押下されると、制御部１０は、投入された現金の計数処理を行うにあたって、処理中であることを表示する処理中表示画面（上述の図９と同様の内容の画面）を、操作表示部５０に表示させる（Ｓ２０６）。
【００７７】
ステップＳ２０６で処理中表示画面を表示する際に、制御部１０は、例えば、投入された媒体の種類に応じて各照明部の照明制御を行うようにしてもよい。例えば、ステップＳ２０５で、紙幣及び硬貨の両方が投入された場合には、制御部１０は、上述の図９と同様に、紙幣入出口８０１に対応する緑色照明部ＬＧ−１と、硬貨入出口９０１に対応する青色照明部ＬＢ−１の両方について点灯又は点滅させる照明制御を開始するようにしてもよい。また、ステップＳ２０５で、紙幣だけが投入された場合には、制御部１０は、紙幣入出口８０１に対応する緑色照明部ＬＧ−１だけを点灯又は点滅させる照明制御を開始するようにしてもよい。
【００７８】
そして、紙幣・硬貨投入要求画面を表示中に、現金（紙幣、硬貨）が投入され、確定ボタンＢ４０１が押下されると、制御部１０は、紙幣処理部８０及び硬貨処理部９０を制御して、計数処理（異物の鑑別を含む）を実行させる（Ｓ２０７）。
【００７９】
そして、制御部１０は、紙幣処理部８０又は硬貨処理部９０で異物が検知された場合には、異物返却部１００を制御してその異物を異物返却口１００１に排出させ、利用者に異物返却口１００１から異物を受け取ることを要求する処理を行う（Ｓ２０８、Ｓ２０９）。
【００８０】
制御部１０は、利用者に異物返却口１００１から異物を受け取ることを要求する場合、図１５に示すように、異物返却口１００１に対応する水色照明部ＬＡＢ−１について、点灯又は点滅を開始させる照明制御を行う。なお、この実施形態では、制御部１０は、少なくとも取引終了までの間は、水色照明部ＬＡＢ−１を点灯又は点滅させた状態を維持するものとする。なお、制御部１０は、異物返却口１００１から異物が抜き取られた場合（例えば、異物返却口１００１に配置されたセンサ等により検知）には、異物返却口１００１に対応する水色照明部ＬＡＢ−１について、消灯させる照明制御を行うようにしてもよい。
【００８１】
また、制御部１０は、異物返却口１００１に異物が放置された場合には、時間の経過又は取引処理の経過に伴って、照明制御の内容を変更（例えば、点滅する間隔を短くする等）するようにしてもよい。ＡＴＭ１において、異物返却が行われるタイミングは、利用者が誤って紙幣入出口に硬貨や異物等を投入してしまった時点である。そのため、利用者は取引に集中してしまっていることがあり、異物返却口に異物が返却されていることに気づかないことがある。そのため、上述のように、取引終了に近づくにつれて、点滅の間隔を短くすることで、利用者に異物返却が行われたことを気づかせることができる。
【００８２】
そして、制御部１０は、紙幣処理部８０及び硬貨処理部９０から計数結果の通知を受けると、その計数結果を利用者に確認するための画面（以下、「投入金額確認画面」と呼ぶ）を、操作表示部５０に表示させる。
【００８３】
図１６は、制御部１０が操作表示部５０に投入金額確認画面を表示させた状態について示している。
【００８４】
図１６に示すように、投入金額確認画面では、投入金額（計数結果）を表示するためのフィールドＦ５０１と、利用者から投入金額の確認を受付けるための確認ボタンＢ５０１（「確認」と表示されたボタン）と、利用者から取引中止を受付けるための取消ボタンＢ５０２とが配置されている。
【００８５】
そして、投入金額確認画面で確認ボタンＢ５０１が押下されると、制御部１０は、処理中表示画面（上述の図１５と同様の画面）を、操作表示部５０に表示させる（Ｓ２１１）。なお、図１５では、異物が検出され、水色照明部ＬＡＢ−１が点灯又は点滅した状態について示しており、元々異物が検出されていない場合には、制御部１０は、水色照明部ＬＡＢ−１について、照明させずに消灯した状態を維持する。
【００８６】
また、投入金額確認画面で確認ボタンＢ５０１が押下されると、制御部１０は、預入取引を行うために、図示しないホストコンピュータと通信して、預入取引のトランザクション処理を依頼する処理を行う（Ｓ２１２）。なお、ここでは、制御部１０が依頼したトランザクション処理は成功（取引成功）だったものとする。
【００８７】
そして、預入取引が成立すると、制御部１０は、カードリーダライタ４０を制御してカード入出・明細票排出口４０１からキャッシュカードを排出させる制御処理を行う。また、制御部１０は、明細票プリンタ６０を制御して明細票用紙に今回の取引の内容を印字させて明細票を作成させ、その明細票をカード入出・明細票排出口４０１から排出させる（Ｓ２１３）。
【００８８】
そして、制御部１０は、排出するキャッシュカードと明細票の受取を利用者に要求するためのカード・明細票受取要求画面（図１７参照）を、操作表示部５０に表示させる制御を行う（Ｓ２１４）。なお、図１７では、異物が検出され、水色照明部ＬＡＢ−１が点灯又は点滅した状態について示しているが、元々異物が検出されていない場合には、制御部１０は、水色照明部ＬＡＢ−１について、照明させずに消灯した状態を維持する。
【００８９】
そして、カード入出・明細票排出口４０１及びカード入出・明細票排出口４０１から、キャッシュカード及び明細票が利用者により抜き取られると、制御部１０は、利用者に取引終了を知らせるための取引終了画面（上述の図１２と同様の画面）を、操作表示部５０に表示させる制御を行い（Ｓ２１５）、取引を終了する。なお、カード入出・明細票排出口４０１及びカード入出・明細票排出口４０１で、キャッシュカード及び明細票の抜き取りを検知する方式については限定されないものであるが、例えば、図示しない抜き取りセンサ（例えば、光学的に検知するセンサ）により検知するようにしてもよい。
【００９０】
なお、この実施形態では、たとえ異物返却口１００１から異物が抜き取られていない場合であっても、取引終了画面が表示されれば、制御部１０は、水色照明部ＬＡＢ−１について、消灯した状態（上述の図１２の状態）に照明制御するものとする。
【００９１】
（Ａ−３）第１の実施形態の効果
第１の実施形態によれば、以下のような効果を奏することができる。
【００９２】
ＡＴＭ１では、操作表示部５０の画面の周囲（縁）に沿ってライン状の照明部（ＬＥＤ）を配置している。そして、ＡＴＭ１では、各取扱口で媒体等の取扱（投入受付又は排出）を行う際に、各取扱口及び又は媒体の種類に応じた照明部（操作表示部５０の周囲に配置された照明部）を照明（点灯又は点滅）させる制御を行う。これにより、利用者は、操作表示部５０の画面から視線を変えずに、操作表示部５０の周囲に配置された照明部の照明状況を確認できるため、操作中の媒体に関する状態を把握することが容易になる。
【００９３】
また、ＡＴＭ１の制御部１０は、利用者による取引操作の過程で、取引終了時までに排出する媒体を把握するごとに、当該媒体に対応する照明部を照明させている。したがって、ＡＴＭ１では、利用者に対して、取引中から取引終了時に排出される媒体を事前に把握をさせ、さらに、利用者が排出する媒体を受け取るまで、当該媒体に対応する照明部が照明させている。これにより、ＡＴＭ１では、利用者に対して、取引終了時に受け取らせる媒体を認識させやすくし、利用者による媒体の受け取り忘れを抑制することができる。
【００９４】
また、ＡＴＭ１では、従来は存在しなかった、操作表示部５０の周囲(縁)の照明部を追加配置（アドオン）して制御する構成となっている。したがって、既存のＡＴＭに第１の実施形態のＡＴＭ１を適用する場合でも、既存ＡＴＭの仕様に影響を与えずに、上述の構成を追加配置（アドオン）するだけで実現することができる。
【００９５】
（Ｂ）第２の実施形態
以下、本発明による取引装置の第２の実施形態を、図面を参照しながら詳述する。
【００９６】
第２の実施形態のＡＴＭ１も第１の実施形態と同様に上述の図１〜図３により示すことができる。以下では、第２の実施形態について、第１の実施形態との差異を説明する。
【００９７】
第２の実施形態のＡＴＭ１では、取引終了時に、利用者に対して明細票の発行の要否を選択させる点で異なっている。
【００９８】
次に、第２の実施形態のＡＴＭ１の動作例として、出金取引が行われる場合の動作（第１の実施形態との差異）について、図１８〜図２０を用いて説明する。
【００９９】
図１８は、第２の実施形態のＡＴＭ１で出金取引が行われる場合の動作について示したフローチャートである。図１８のフローチャートでは、第１の実施形態のフローチャート（上述の図４）と同様の処理のステップについては、同一の符号（ステップ番号）を付している。そして、図１９、図２０は、ＡＴＭ１が、図１８のフローチャートに従って動作した場合の、操作表示部５０の操作画面の内容、及び、操作表示部５０の周囲の各照明部の照明状態について示している。図１９、図２０では、照明した状態（点灯又は点滅した状態）の照明部についてはハッチ（斜線）を付して示している。
【０１００】
図１８に示すように、第２の実施形態のＡＴＭ１でも、第１の実施形態と同様にステップＳ１０１〜Ｓ１１２の処理が行われるが、ステップＳ１１３〜Ｓ１１５の処理が追加されている点で異なっている。
【０１０１】
第２の実施形態では、ステップＳ１０７で、取引成立すると、利用者に明細票の発行の要否を選択させるための画面（以下、「明細票選択画面」と呼ぶ）を、操作表示部５０に表示させる（Ｓ１１３）。
【０１０２】
図１９は、制御部１０が操作表示部５０に明細票選択画面を表示させた状態について示している。
【０１０３】
図１９に示すように、明細票選択画面では、利用者から明細書の発行は必要である旨を受付けるためのボタンＢ６０１（「発行する」と表示されたボタン）と、利用者から明細書の発行は不要である旨を受付けるためのボタンＢ６０２（「発行しない」と表示されたボタン）とが配置されている。
【０１０４】
そして、明細票選択画面でボタンＢ６０１が押下された場合には、制御部１０は、上述のステップＳ１０８から動作する。一方、明細票選択画面でボタンＢ６０２が押下された場合には、制御部１０は、後述するステップＳ１１４の処理から動作する。
【０１０５】
明細票選択画面でボタンＢ６０２が押下された場合には、制御部１０は、カードリーダライタ４０を制御してカード入出・明細票排出口４０１からキャッシュカードを排出させる制御処理を行う（Ｓ１１４）。なお、ステップＳ１１４では、明細票選択画面で明細票の発行は不要である旨が選択されている状態なので、明細票の排出は行われない。
【０１０６】
そして、制御部１０は、排出するキャッシュカードの受取を利用者に要求するための画面（以下、「カード受取要求画面」と呼ぶ）を、操作表示部５０に表示させる制御を行う（Ｓ１１５）。
【０１０７】
図２０は、制御部１０が操作表示部５０にカード受取要求画面を表示させた状態について示している。
【０１０８】
図２０に示すように、カード受取要求画面では、キャッシュカードの受取を利用者に要求するメッセージ（図２０では、「カードをお受け取りください」というメッセージ）を表示している。なお、カード受取要求画面が表示される場合、ＡＴＭ１では、明細票の排出は行われないので、制御部１０は、黄色照明部ＬＹ−１を消灯させる照明制御を行うことになる。
【０１０９】
そして、カード入出・明細票排出口４０１から、利用者によりキャッシュカードが抜き取られると、制御部１０は、上述のステップＳ１１０から動作する。
【０１１０】
以上のように第２の実施形態では、利用者に対して明細票の発行の要否を選択させている。そして、制御部１０は、明細票が発行されない場合、明細票に対応する黄色照明部ＬＹ−１を消灯させる照明制御を行っている。これにより、第２の実施形態のＡＴＭ１では、利用者の操作に応じて、排出される媒体が変更される場合でも、柔軟に照明部の照明制御を行うことができる。
【０１１１】
（Ｃ）他の実施形態
本発明は、上記の実施形態に限定されるものではなく、以下に例示するような変形実施形態も挙げることができる。
【０１１２】
（Ｃ−１）上記の各実施形態では、本発明の取引装置をＡＴＭに適用する例について説明したが、その他の取引装置に適用するようにしても良い。例えば、電子マネー等を利用者の口座にチャージ（入金）する取引や、種々のチケット（例えば、電車の切符や航空券等）を販売する取引等、操作画面及び媒体の取扱口を備える装置に適用することができる。
【０１１３】
（Ｃ−２）上記の各実施形態では、各取扱口の近傍に照明部（緑色照明部ＬＧ−２、水色照明部ＬＡＢ−２、青色照明部ＬＢ−２、赤色照明部ＬＲ−２、黄色照明部ＬＹ−２、白色照明部ＬＷ−２）が配置されているが、これらの照明部について同じ色で着色された表示部（例えば、所定の色で着色されたラベル等）に置き換えるようにしてもよい。
【０１１４】
また、上記の各実施形態において、各取引口の近傍の照明部については省略するようにしてもよい。
【０１１５】
（Ｃ−３）上記の各実施形態では、操作表示部５０の表示画面の周囲に別のデバイスとして照明部（ＬＥＤ）を配置した構成となっているが、図２１に示すように、これらの照明部を、操作表示部５０の表示画面で表示する画像として実現するようにしてもよい。例えば、照明制御部１２は、図２１に示すように、操作表示部５０の画面上で、各照明部（緑色照明部ＬＧ−１、水色照明部ＬＡＢ−１、青色照明部ＬＢ−１、赤色照明部ＬＲ−１、黄色照明部ＬＹ−１、及び白色照明部ＬＷ−１）に対応する領域の明度を制御することにより、照明制御するようにしてもよい。
【０１１６】
（Ｃ−４）上記の各実施形態において、顧客を誘導する構成要素を追加するようにしてもよい。例えば、ＡＴＭ１において、従来と同様にイラストを表示出力したり、音声出力を行う構成要素を追加するようにしてもよい。
【０１１７】
（Ｃ−５）第１の実施形態において、制御部１０は、上述のステップＳ１０６のタイミングで、上述の図９に示すように、今回の取引処理で用いられる取扱口及び媒体に係る照明部（緑色照明部ＬＧ−１、青色照明部ＬＢ−１）を点灯させる照明処理を開始しているが、この照明処理を開始するタイミングは上述のステップＳ１０９に限定されないものである。
【０１１８】
例えば、制御部１０は、上述のステップＳ１０５で、金額入力した時点（上述の図８に示す金額入力受付画面でフィールドＦ３０１に金額入力された時点）で、上述の照明処理（図２２に示す状態に制御する照明処理）を開始するようにしてもよい。
【０１１９】
なお、制御部１０が、金額入力受付画面を表示中に上述の照明処理を行うタイミングは限定されないものである。例えば、制御部１０は、金額入力受付画面を表示中にＦ３０１に入力される出金金額を監視し、入力された出金金額に基づいて、硬貨の出金の要否を判定し、硬貨の出金が行われないと判定できる場合（例えば、下３桁の数字が０の場合）には、硬貨に対応する照明部（緑色照明部ＬＧ−１）だけ、照明を停止（消灯）する制御を行うようにしてもよい。具体的には、例えば、制御部１０は、金額入力受付画面に遷移した後、最初の数字のボタンが押下された時点（例えば、図２３に示すように、Ｆ３０１の入力金額が「￥１」となった時点）で、紙幣及び硬貨に係る照明部を照明させる制御を開始し、４桁目以後の数字が押下され、硬貨の出金がないことが確認できた時点（例えば、図２４に示すように、入力金額が「￥１，０００」となった時点）で、硬貨に対応する照明部（緑色照明部ＬＧ−１）だけ、照明を停止（消灯）する制御を行うようにしてもよい。また、制御部１０は、例えば、図２３に示す状態（入力金額が「￥１」となった状態）で、ソフトキーパッドＫ３０１の「千」又は「万」のボタンが押下された場合には、入力金額が「￥１，０００」又は「￥１０，０００」となるので、上述の図２４の場合と同様に、硬貨に対応する照明部（緑色照明部ＬＧ−１）だけ、照明を停止（消灯）する制御を行うようにしてもよい。
【０１２０】
さらに、入力金額が「￥１，０００」又は「￥１０，０００」となった後、「￥１」が押下された場合は、「￥１，００１」又は「￥１０，００１」となる。つまり、紙幣のみの出金なのか、紙幣及び硬貨の出金があるのかは、最終金額が確定するまで分からない。そこで、確定ボタンが押下された後、再度紙幣及び硬貨の出金の要否を判定し、一度消灯した硬貨に対応する照明部（緑色照明部ＬＧ−１）を点灯させてもよい。
【０１２１】
なお、制御部１０は、金額入力受付画面を表示中に、硬貨の場合と同様に、紙幣の出金の要否を判定し、紙幣の出金が行われないと判定できる場合（例えば、出金金額が１０００円未満の場合）には、紙幣に対応する照明部（青色照明部ＬＢ−１）だけ、照明を停止（消灯）する制御を行うようにしてもよい。
【０１２２】
また、制御部１０は、例えば、上述のステップＳ１０３で、出金取引が選択されたタイミング（上述の図６に示す取引選択画面で、ボタンＢ１０１が押下され、暗証番号入力受付画面に遷移したタイミング）で、上述の照明処理（図２５に示す状態に制御する照明処理）を開始するようにしてもよい。
【０１２３】
さらに、制御部１０は、例えば、上述のステップＳ１０６で、現金処理部（紙幣処理部８０及び又は硬貨処理部９０）で現金（紙幣及び又は硬貨）を排出する処理を開始したタイミングで、上述の照明処理を行うようにしてもよい。なお、現金処理部で現金を排出する処理を開始したタイミングとは、例えば、最初に現金（紙幣又は硬貨）が、現金処理部（紙幣処理部８０及び又は硬貨処理部９０）で繰り出されたタイミング（例えば、紙幣収納カセットから紙幣が繰り出されたタイミング）としてもよいし、最初に現金が現金取扱口（紙幣入出口８０１又は硬貨入出口９０１）に到達したタイミングとしてもよい。
【０１２４】
図２７は、ＡＴＭ１の概略断面図である。図２７では、ＡＴＭ１において、紙幣処理部８０に係る構成のみを示している。図２７に示すように、紙幣処理部８０は、紙幣を搬送するための紙幣搬送路８０３を有している。そして、紙幣搬送路上に、紙幣入出口８０１、投入された紙幣を鑑別するための紙幣鑑別部８０４、投入された紙幣を一時的に保留する紙幣保留部８０５、及び紙幣を収納するための紙幣収納カセット８０２（８０２ａ〜８０２ｄ）が配置されている。ＡＴＭ１では、紙幣の種類ごとに対応する４つの紙幣収納部８０２ａ〜８０２ｄを備えているものとするが、紙幣収納部８０２の数は限定されないものである。そして、上述の「最初に現金が、現金処理部で繰り出されたタイミングと」は、例えば、いずれかの紙幣収納カセット８０２から紙幣が搬送路８０３上に紙幣の繰り出しが開始されたタイミングが該当する。また、「最初に現金が現金取扱口に到達したタイミング」とは、いずれかの紙幣収納カセット８０２から搬送路８０３上に繰り出された紙幣が、最初に紙幣入出口８０１に到達したタイミングが該当する。
【０１２５】
硬貨処理部９０を備えていない取引装置では、出金取引が選択されたタイミング（上述の図６に示す取引選択画面で、ボタンＢ１０１が押下され、暗証番号入力受付画面に遷移したタイミング）で紙幣に対応する照明部のみを照明させてもよい。
【０１２６】
上述のようなタイミングであれば、ＡＴＭ１から、紙幣等が排出されることは確実なので、第１の実施形態で示したタイミングよりも早いタイミングで、上述の照明処理を開始することにより、利用者に媒体等の取得を知らせることが可能となる。（Ｃ−６）第２の実施形態において、上述のステップＳ２０５で現金（紙幣、硬貨）が投入され、確定ボタンＢ４０１が押下された後、上述のステップＳ２０６では、通常は現金（紙幣及び硬貨）の排出は行われない。これは、通常預入取引では、出金（現金の排出）が行われないためである。ただし、紙幣処理部８０又は硬貨処理部９０で、投入された媒体を鑑別した結果、偽券や損券（破損した紙幣）等が検出され、紙幣入出口８０１又は硬貨入出口９０１からリジェクトが必要となる場合には、制御部１０は、リジェクトする媒体（取扱口）に対応する照明部を照明させる制御を行うようにしてもよい。例えば、図２６では、上述のステップＳ２０６（処理中表示画面）で、紙幣がリジェクトされる状態について示している。図２６では、紙幣に対応する青色照明部ＬＢ−１が追加で照明された状態について示している。
【符号の説明】
【０１２７】
１…ＡＴＭ、１０…制御部、１１…取引処理部、１２…照明制御部、２０…データ記憶部、３０…通信部、４０…カードリーダライタ、４０１…カード入出・明細票排出口、５０…操作表示部、６０…明細票プリンタ、６０１…明細票排出口、７０…通帳処理部
７０１…通帳入出口、８０…紙幣処理部、８０１…紙幣入出口、９０…硬貨処理部、９０１…硬貨入出口、１００…異物返却部、１００１…異物返却口、ＬＧ−１、ＬＧ−２…緑色照明部、ＬＡＢ−１、ＬＡＢ−２…水色照明部、ＬＢ−１、ＬＢ−２…青色照明部、ＬＲ−１、ＬＲ−２…赤色照明部、ＬＹ−１、ＬＹ−２…黄色照明部、ＬＷ−１、ＬＷ−２…白色照明部。
【図１】
2014056495.tif 000003
【図２】
2014056495.tif 000004
【図３】
2014056495.tif 000005
【図４】
2014056495.tif 000006
【図５】
2014056495.tif 000007
【図６】
2014056495.tif 000008
【図７】
2014056495.tif 000009
【図８】
2014056495.tif 000010
【図９】
2014056495.tif 000011
【図１０】
2014056495.tif 000012
【図１１】
2014056495.tif 000013
【図１２】
2014056495.tif 000014
【図１３】
2014056495.tif 000015
【図１４】
2014056495.tif 000016
【図１５】
2014056495.tif 000017
【図１６】
2014056495.tif 000018
【図１７】
2014056495.tif 000019
【図１８】
2014056495.tif 000020
【図１９】
2014056495.tif 000021
【図２０】
2014056495.tif 000022
【図２１】
2014056495.tif 000023
【図２２】
2014056495.tif 000024
【図２３】
2014056495.tif 000025
【図２４】
2014056495.tif 000026
【図２５】
2014056495.tif 000027
【図２６】
2014056495.tif 000028
【図２７】
2014056495.tif 000029